(57)【特許請求の範囲】
【請求項１】
胴（２）内にあり、張設材（１）端部を出し入れするためのスリット（４）を形成する、軸に平行な少なくとも１つの溝（３）と、
前記溝（３）内に配置されるとともに、複数の圧縮バネ（６）によって径方向にスリット（４）の方向に押し付けられ、前記張設材（１）を固定する締付体（５）と、を備え、
前記胴（２）の端部に前記締付体（５）を径方向に移動可能に案内する調整要素（７）が配置され、前記張設材（１）端部の出し入れを可能にする、輪転印刷機の胴（２）に張設材（１）を固定するための装置であって、
前記溝（３）の内部に、前記締付体（５）の他に、該締付体（５）の少なくとも１つの刳り抜き部（９）に沿って案内される少なくとも１つの支持要素（８）が配置されて、前記調整要素（７）が移動して前記支持要素（８）が移動することにより前記支持要素（８）と前記締付体（５）との間の相対移動が引き起こされることを特徴とする装置。
【請求項２】
前記締付体（５）の軸方向移動を妨げ、一方前記締付体（５）の径方向移動を可能にする、少なくとも１つの固定要素（１３）が配置されていることを特徴とする、請求項１に記載の装置。
【請求項３】
前記少なくとも１つの固定要素（１３）は、長孔（１４）内に移動可能に配置されていることを特徴とする、請求項２に記載の装置。
【請求項４】
前記締付体（５）の他に、それぞれ少なくとも１つの支持要素（８）が配置されており、前記支持要素（８）は、締付体（５）の刳り抜き部（９）を通してボルト（１０）により互いに結合されていることを特徴とする、請求項１から３のいずれか一項に記載の装置。
【請求項５】
前記締付体（５）の長軸に沿って複数の刳り抜き部（９）および複数の支持要素（８）が配置されていることを特徴とする、請求項１から４のいずれか一項に記載の装置。
【請求項６】
前記刳り抜き部は、胴回転軸に対して傾斜している長孔（９）として形成されていることを特徴とする、請求項１から５のいずれか一項に記載の装置。
【請求項７】
前記調整要素（７）は、胴（２）に対して径方向および／または軸方向（１２）に移動可能に形成されていることを特徴とする、請求項１から６のいずれか一項に記載の装置。
【請求項８】
調整要素（７）と締付体（５）との間、および／または調整要素（７）と支持要素（８）との間に、偏向ブロックまたはレバーが配置されていることを特徴とする、請求項１から７のいずれか一項に記載の装置。
【請求項９】
前記調整要素（７）を動かす、少なくとも１つの駆動装置が配置されていることを特徴とする、請求項１から７のいずれか一項に記載の装置。
【請求項１０】
前記駆動装置は、圧搾空気式および／または油圧式および／または電気式の駆動装置であることを特徴とする、請求項８に記載の装置。
【発明の詳細な説明】
【技術分野】
【０００１】
本発明は、請求項１の前段に基づく輪転印刷機の胴に張設材を固定するための装置に関する。
【背景技術】
【０００２】
本出願人の特許文献１から、輪転印刷機の圧胴に張設材を固定するための装置は既に公知になっている。公知のこの装置では、溝面と締付体の間にある張設材を固定するために、締付体が、軸に平行な胴本体の溝の内部で圧縮バネによって径方向外側に溝面に押し付けられる。張設材を張るおよび緩めるには、締付体を、その外側端部にある調整ネジによって径方向に胴内部へ移動させる。この張設位置および弛緩位置では、圧縮バネは、端部位置の調整ネジ間における締付フレームの胴外部に対する撓みをもたらす。
【０００３】
例えば単環型および多面横広型の圧胴など細長な胴では、溝孔のサイズまたは直径は限定される。溝直径が制限されるため、それに対応して締付フレームのサイズが、したがってその剛性も限定される。張設材を張るまたは緩めるために締付体をその外側両端にある調整ネジによって径方向に胴内部へ移動させた場合、撓み切った締付フレームの腹部が、張設材の弛緩または挿入が行えないほど、胴中央領域で溝壁近くに突き出すことがある。
【特許文献１】独国特許出願公開第１９７０３２９０号明細書
【発明の開示】
【発明が解決しようとする課題】
【０００４】
したがって、本発明者らは、輪転印刷機の胴に張設材を固定するための装置を、締付体を弛緩させる際に締付フレームが撓み切るのを回避するように改良することを課題とした。
【課題を解決するための手段】
【０００５】
この課題は、請求項１に記載の輪転印刷機の胴に張設材を固定するための装置によって解決される。
【０００６】
本発明者らは、張設溝内に締付フレームに加えて支持要素を、この支持要素が締付フレームの撓み切りに対する機械的防御材として機能し、同時に、撓みから生じる力を溝内壁へ誘導するように配置すれば、張設材を張るまたは弛緩させる際の締付フレームの撓み切りを防止することが可能であると認識するに到った。
【０００７】
本発明者らは、得られたこの認識から、胴内にあり、張設材端部を出し入れするためのスリットを形成する、軸に平行な少なくとも１つの溝と、溝内に配置され、複数の圧縮バネによって径方向にスリットの方向に押し付けられ、張設材を固定する締付体と、を備え、胴の端部に、前記張設材端部の出し入れを可能にし、そういう意味で改良するための、前記締付体を径方向に移動可能に案内する調整要素が配置された、輪転印刷機の胴に張設材を固定するための装置を、溝の内部に、締付体のほかに、締付体の少なくとも１つの刳り抜き部と噛み合う少なくとも１つの支持要素が配置されるとともに調整要素の移動により支持要素と締付体の間の相対移動が引き起こされるように改良することを提案する。
【発明の効果】
【０００８】
胴に張設材を固定するための装置のこの実施形態では、調整要素の作用によって支持要素が溝孔の方向に移動し、したがって刳り抜き部が例えば長孔など適当な形態の場合、この調整移動が溝孔の径方向における締付体と溝孔壁の間の相対移動を引き起こす。支持要素が溝孔壁に押し付けられ、それにより締付体が張設材の固定位置から後退する。溝孔内での支持要素の支持により、締付体の撓み切りが妨げられる。
【０００９】
本発明の好ましい改良形態は、従属請求項および下記の説明から明らかになる。本発明の様々な例示的実施形態を図面に基づいてより詳しく説明するが、それだけに限定されるものではない。
【発明を実施するための最良の形態】
【００１０】
次に、本発明を図１から４を参照して説明する。
【００１１】
図１は、新規の張設装置を備える胴２の部分切断面を、胴の回転軸に垂直な断面図で示している。胴は版胴でも渡し胴でもよいが、胴表面には被覆部材または張設材１として１以上の刷版、あるいは１以上のゴムブランケットが載置されている。胴２には軸方向に延びる張設溝３が設けられ、この張設溝３はスリット４を形成しており、胴表面において張設材１がスリットに導入され又はスリットから抜き出され、張設材１の端部を胴２に固定することができるようにされている。図には描かれていないバネ要素により、張設材１の端部を、溝内壁と締付体５との間に締付け固定することができる。締付体５は、張設材１を引っ張って貼り付ける又は緩めて取り外すため径方向１１に移動できるように設置されている。締付体５は、調整要素７、この場合は胴の回転軸に平行に移動可能な桿体またはネジ棒により、溝方向に移動させることができ、その際に、図には描かれていない支持要素に対する締付体５の相対的移動が生じる。その場合、長孔内に移動可能に配置されている固定棒１３により、締付体５が径方向１１にだけ移動できるようにすることができる。
【００１２】
図１ａは、固定棒１３および締付体５の切断面を示している。固定棒１３は長孔１４内に配置されており、それによって締付体５は径方向１１にのみ動くことができ、溝孔の方向への軸方向の動きは妨げられる。
【００１３】
図２は、張設溝３および新規の張設装置の別の実施形態の断面図である。張設材１は、支持プレート上に設置されたブランケットである。支持プレートの両端が締付体５によって溝内壁に押し付けられ、それによってブランケットは胴２の周囲にぴんと張られる。その場合、締付体５は圧縮バネ６により張設溝３の底部からスリット４の方向に押しやられる。締付体５は、スリット４の方向に円錐状に延びる２つの側面を有しており、図２に描かれた支持プレートの両端が上側の側面で締付け固定される。張設溝３内には締付体５の上方および下方に支持要素８が配置されており、これらは、図示されていない結合要素および刳り抜き部を介して締付体５内で相互に結合されている。締付体５が、図示されていない調整要素の作用により溝孔の方向に移動すれば、刳り抜き部が例えば長孔など適当な形態の場合、この調整移動が溝孔の径方向１１における締付体５と支持要素との間の相対移動をもたらす。支持要素が溝孔壁に押し付けられ、それにより締付体が張設材１の固定位置から後退する。溝孔内での支持要素の支持により締付体５の撓み切りが妨げられる。
【００１４】
図３は、張設溝の縦方向における締付体５の部分切断面を上面図で示している。図３の左方に、ねじで案内でき、この場合は胴軸に平行な方向１２に移動できる、ボルト状の調整要素７が配置されている。この実施形態では、締付体５は、斜めに傾斜した長孔９を有している。この長孔９を通して複数の支持要素８（一部分のみ図示）がボルト１０により相互に結合されている。調整要素７が右方へ移動すれば、支持要素８は溝孔壁に押し付けられ、締付体５は調整行程分ｈだけ径方向下方に降下し、よって胴のスリットは、張設材を張るまたは緩めるために解放される。この降下状態では、ボルトの位置は長孔９の上側位置（破線描画）にくることになる。締付体５は、図１ａに示された固定棒により径方向１１にしか移動できないが、支持要素８は溝孔の内部で軸方向に移動することができる。
【００１５】
図４は、支持要素８およびボルト１０を備える締付体５の長孔９の平面を通る断面図を示している。
【００１６】
明細書に記載された上記特徴および請求項に記載された特徴が、それぞれ示された組合せだけでなく、他の組合せでも、あるいは単独でも本発明の範囲を逸脱することなく使用できることは自明のことである。
【図面の簡単な説明】
【００１７】
【図１】新規の張設装置を備える胴の部分切断面を示す断面図である。
【図１ａ】固定材および締付体の切断面である。
【図２】新規の張設装置の別の実施形態の断面図である。
【図３】長孔および調整要素を備える締付体の詳細図である。
【図４】支持要素およびボルトを備える締付体の長孔平面を通る断面図である。
【符号の説明】
【００１８】
１  張設材
２  胴
３  張設溝
４  スリット
５  締付体
６  圧縮ばね
７  調整要素
８  支持要素
９  長孔
１０  ボルト
１１  締付体の移動方向
１２  調整要素の移動方向
１３  固定棒
１４  長孔
ｈ  締付体の調整行程
【図１】
0004808657.tif 000002
【図１ａ】
0004808657.tif 000003
【図２】
0004808657.tif 000004
【図３】
0004808657.tif 000005
【図４】
0004808657.tif 000006